(57)【要約】【課題】  屋根の形式や使用する瓦等によって高さやトップカバーの水平方向の張り出し長さを自由に変えることができ、施工性および耐久性が良く仕上がりの形態も良好である棟換気装置およびその施工方法を提供すること。【解決手段】  屋根開口部５を横方向から覆う側方カバー部１０と当該屋根開口部５を上側から覆う上方カバー部２０とを備え、側方カバー部１０が、横方向に直列に配設される所定個数の固定側板１１と、第１の係合部６０を介して横方向に移動可能に仮止めされる所定個数の移動側板１５とからなり、上方カバー部２０が、所定個数の固定上板２１および所定個数の移動上板２５からなる上方板部２０Ａと、当該上方板部２０Ａよりも下方に平行に配設された所定個数の補助上方板３０とからなる。【選択図】      図１
2006125160.tif 000002
【特許請求の範囲】
【請求項１】
屋根の棟部分に設けられた屋根開口部を横方向から覆う側方カバー部と当該側方カバー部の上方に配設され当該屋根開口部を上側から覆う上方カバー部とを備え、
前記側方カバー部が、前記屋根開口部を横方向から挟むようにして対向しかつ屋根部分に基端部が固定されかつ横方向に直列に配設される所定個数の固定側板と、当該各固定側板に第１の係合部を介して横方向に移動可能に仮止めされる所定個数の移動側板とからなり、
前記上方カバー部が、前記側方カバー部に固定される所定個数の固定上板および当該各固定上板に第２の係合部を介して横方向に移動可能に係合される所定個数の移動上板からなる上方板部と、当該上方板部よりも下方に平行に配設された所定個数の補助上方板とからなり、
前記側方カバー部内の空間と前記上方カバー部内の空間には、前記屋根開口部からの空気を外側に排出する空気排出路が形成されたことを特徴とする棟換気装置。
【請求項２】
前記移動上板と前記補助上方板との間で前記側方カバー部の外側に位置する部位に上方を向くように配列された排気口を有する排気出口部を設け、当該排気出口部に対応しかつ前記側方カバー部の外側部分に位置するように排水用の貫通穴を前記補助上方板に設けた請求項１記載の棟換気装置。
【請求項３】
前記第１の係合部が、前記固定側板および前記移動側板のいずれか一方に高さ方向に所定間隔で配設された複数個の突起と、当該固定側板および当該移動側板の他方に当該各突起を被嵌するように設けられた穴部とからなり、
前記第２の係合部が、前記固定上板および前記移動上板のいずれか一方に水平方向に所定間隔で配設された複数個の突起と、当該固定上板および当該移動上板の他方に当該各突起を被嵌するように設けられた穴部とからなる請求項１又は２記載の棟換気装置。
【請求項４】
前記第１の係合部が、前記固定側板および前記移動側板のいずれか一方に設けられた突起と、当該固定側板および当該移動側板の他方に当該突起を被嵌するように高さ方向に所定間隔で配設された複数個の穴部とからなり、
前記第２の係合部が、前記固定上板および前記移動上板のいずれか一方に周期的に繰り返される所定形状の突起と、当該固定上板および当該移動上板の他方に当該突起を被嵌するように水平方向に所定間隔で配設された複数個の穴部とからなる請求項１又は２記載の棟換気装置。
【請求項５】
屋根の棟部分に設けられた屋根開口部を横方向から覆う各固定側板を当該屋根開口部を横方向から挟むようにして対向させて屋根部分に基端部を固定し、その後、当該各固定側板に移動側板を第１の係合部を介して横方向に移動可能に仮止めした後に本止めして側方カバー部を形成し、
当該側方カバー部の横方向の繋ぎ目部分が中間に位置するように各固定上板を固定し、その後、当該各固定上板に移動上板を第２の係合部を介して横方向に移動可能に仮止めした後に本止めして上方カバー部を形成することを特徴とする換気装置の施工方法。
【請求項６】
屋根の棟部分に設けられた屋根開口部を横方向から覆う側方カバー部と当該側方カバー部の上方に配設され当該屋根開口部を上側から覆う上板および当該上板の下方に平行に配設された補助上方板からなる上方カバー部とを備えた棟換気装置において、
前記上板と前記補助上方板との間で前記側方カバー部の外側に位置する部位に上方を向くように配列された排気口を有する排気出口部を設け、当該排気出口部に対応しかつ前記側方カバー部の外側部分に位置するように排水用の貫通穴を前記補助上方板に設けた棟換気装置。
【請求項７】
前記上板の中央部に、横方向に伸延する上方突条部を設け、当該上方突条部に最上段の棟瓦である冠瓦を下方へ引っ張る緊結線を固定するための係止部を設けた請求項１〜６までのいずれか１項に記載の棟換気装置。
【請求項８】
前記上板の上面部に、最下段の棟瓦の外側端部と当接して位置規制する位置規制突起部を設けた請求項１〜７までのいずれか１項に記載の棟換気装置。
【発明の詳細な説明】
【技術分野】
【０００１】
本発明は、小屋裏空間内の空気を外部へ排出可能な棟換気装置およびその施工方法に関する。
【背景技術】
【０００２】
従来、棟換気装置として、例えば特許文献１に開示された構成のものがある。
【０００３】
この棟換気装置は、屋根の棟 部分に設けた屋根開口部を覆うように下部材を設け、この下部材の上方側に、該下部材との間に梁行方向一端側から他端側にわたって空気を流通させると共に棟 部分で屋根開口部に連通する通風路を形成するように上部材を間隔をおいて取り付ける構成とされている。この構成によれば、部品点数削減による低コスト化を図れるとされている。
【特許文献１】特開２００４−２７８０６４号公報
【発明の開示】
【発明が解決しようとする課題】
【０００４】
ところで、棟換気装置では、部品点数削減を図ることも重要な課題ではあるものの、当該装置では屋根の形式や使用する瓦等によって大きさが異なる。そのため、施工者は、大きさの異なる棟換気装置を予め用意するなど施工の段取りに手間が掛かる。
【０００５】
また、棟換気装置は、足場の悪い屋根部分で施工されるものであることから、特に施工性が良好であることが求められる。また、棟換気装置は、強い風や雨に晒されることが多いことから、耐久性も求められる。
【０００６】
また、棟換気装置は、外観上最も人の注目を集める屋根部分（しかもその頂部）に構築されるものであるから、仕上がりの形態が無様なもの（例えば、横方向に波を打っているような形態）であっては価値が半減してしまう。
【０００７】
本発明の目的は、屋根の形式や使用する瓦等によって高さや上方カバー部の水平方向の張り出し長さを自由に変えることができ、施工性および耐久性が良く仕上がりの形態も良好である棟換気装置およびその施工方法を提供することにある。
【課題を解決するための手段】
【０００８】
上記目的を達成するために、請求項１の発明は、屋根の棟部分に設けられた屋根開口部を横方向から覆う側方カバー部と当該側方カバー部の上方に配設され当該屋根開口部を上側から覆う上方カバー部とを備え、前記側方カバー部が、前記屋根開口部を横方向から挟むようにして対向しかつ屋根部分に基端部が固定されかつ横方向に直列に配設される所定個数の固定側板と、当該各固定側板に第１の係合部を介して横方向に移動可能に仮止めされる所定個数の移動側板とからなり、前記上方カバー部が、前記側方カバー部に固定される所定個数の固定上板および当該各固定上板に第２の係合部を介して横方向に移動可能に係合される所定個数の移動上板からなる上方板部と、当該上方板部よりも下方に平行に配設された所定個数の補助上方板とからなり、前記側方カバー部内の空間と前記上方カバー部内の空間には、前記屋根開口部からの空気を外側に排出する空気排出路が形成された棟換気装置である。
【０００９】
上記請求項１の発明の場合、移動側板の高さを自由に変えて仮止めでき、移動上板の水平方向の張り出し長さも自由に変えて仮止めできるので、屋根の形式や使用する瓦等によって、その大きさを簡単に変えられる。また、仮止め時に移動側板や移動上板は、第１および第２の係合部によって仮止めされるので、格別な固定装置や仮止めするための補助者も必要とせず、その分簡単に施工することができる。
【００１０】
また、請求項２の発明は、前記移動上板と前記補助上方板との間で前記側方カバー部の外側に位置する部位に上方を向くように配列された排気口を有する排気出口部を設け、当該排気出口部に対応しかつ前記側方カバー部の外側部分に位置するように排水用の貫通穴を前記補助上方板に設けた請求項１記載の棟換気装置である。
【００１１】
上記請求項２の発明の場合、請求項１の発明と同様な作用・効果を奏する他、屋根開口部分からの空気は、空気排出路を経て排気出口部から外部に円滑に排出される。この際、外気が屋根に沿って流れる傾向にあるので、当該外気は排水用の貫通穴を介して空気排出路に入り排気が排気出口部へ向かうように助勢するので、一段と排気が円滑に行われる。
【００１２】
雨が鉛直方向に降っている場合、排気出口部から入った雨滴は排水用の貫通穴から直に外に出てしまうので、空気排出路を逆に進入して屋根開口部分から小屋裏などに入り込まない。雨が斜めに降っている場合（あるいは水平方向に降る場合）、排気出口部の排気口は上方を向くように配列されているので、当該排気口の斜め方向の開口面積は狭い（水平方向の開口面積は零）ので、当該排気口に斜め方向から雨水量は少ない。しかも、雨水の勢いも弱まる。そのため、雨水は、この場合も上述したのと同じに排水用の貫通穴から直に外に出てしまう。したがって、雨水が屋根開口部分を介して小屋裏などに入り込まない。
【００１３】
請求項３の発明は、前記第１の係合部が、前記固定側板および前記移動側板のいずれか一方に高さ方向に所定間隔で配設された複数個の突起と、当該各突起を被嵌する当該固定側板および当該移動側板の他方に設けられた穴部とからなり、前記第２の係合部が、前記固定上板および前記移動上板のいずれか一方に水平方向に所定間隔で配設された複数個の突起と、当該固定上板および当該移動上板の他方に当該各突起を被嵌するように設けられた穴部とからなる請求項１又は２記載の棟換気装置。
【００１４】
上記請求項３の発明の場合、請求項１又は２の発明と同様な作用・効果を奏する他、移動側板の仮止め時の高さ調節および移動上板の仮止め時の水平方向の張り出し長さを一段と細かくかつ正確にできる。
【００１５】
請求項４の発明は、前記第１の係合部が、前記固定側板および前記移動側板のいずれか一方に設けられた突起と、当該固定側板および当該移動側板の他方に当該突起を被嵌するように高さ方向に所定間隔で配設された複数個の穴部とからなり、前記第２の係合部が、前記固定上板および前記移動上板のいずれか一方に周期的に繰り返される所定形状の突起と、当該固定上板および当該移動上板の他方に当該突起を被嵌するように水平方向に所定間隔で配設された複数個の穴部とからなる請求項１又は２記載の棟換気装置。
【００１６】
上記請求項４の発明の場合、請求項１又は２の発明と同様な作用・効果を奏する他、移動側板の仮止め時の高さ調節および移動上板の仮止め時の水平方向の張り出し長さを一段と細かくかつ正確にできる。
【００１７】
請求項５の発明は、屋根の棟部分に設けられた屋根開口部を横方向から覆う各固定側板を当該屋根開口部を横方向から挟むようにして対向させて屋根部分に基端部を固定し、その後、当該各固定側板に移動側板を第１の係合部を介して横方向に移動可能に仮止めした後に本止めして側方カバー部を形成し、当該側方カバー部の横方向の繋ぎ目部分が中間に位置するように各固定上板を固定し、その後、当該各固定上板に移動上板を第２の係合部を介して横方向に移動可能に仮止めした後に本止めして上方カバー部を形成することを特徴とする換気装置の施工方法である。
【００１８】
上記請求項５の発明では、側方カバー部の横方向の繋ぎ目部分が、上方カバー部によって跨ぐようにして覆われるので、仕上がりの形態も良好となる。また、構造強度が補強されるで、耐久性も一段と高まる。また、高さ方向や水平方向の張り出し長さを簡単に変えられるので、施工性も一段と良好になる。
【００１９】
請求項６の発明は、屋根の棟部分に設けられた屋根開口部を横方向から覆う側方カバー部と当該側方カバー部の上方に配設され当該屋根開口部を上側から覆う上板および当該上板の下方に平行に配設された補助上方板からなる上方カバー部とを備えた棟換気装置において、前記上板と前記補助上方板との間で前記側方カバー部の外側に位置する部位に上方を向くように配列された排気口を有する排気出口部を設け、当該排気出口部に対応しかつ前記側方カバー部の外側部分に位置するように排水用の貫通穴を前記補助上方板に設けた棟換気装置である。
【００２０】
上記請求項６の発明の場合、屋根開口部分からの空気は、空気排出路を経て排気出口部から外部に円滑に排出される。この際、外気が屋根に沿って流れる傾向にあるので、当該外気は排水用の貫通穴を介して空気排出路に入り排気が排気出口部へ向かうように助勢するので、一段と排気が円滑に行われる。
【００２１】
雨が鉛直方向に降っている場合、排気出口部から入った雨滴は排水用の貫通穴から直に外に出てしまうので、空気排出路を逆に進入して屋根開口部分から小屋裏などに入り込まない。雨が斜めに降っている場合（あるいは水平方向に降る場合）、排気出口部の排気口は上方を向くように配列されているので、当該排気口の斜め方向の開口面積は狭い（水平方向の開口面積は零）ので、当該排気口に斜め方向から雨水量は少ない。しかも、雨水の勢いも弱まる。そのため、雨水は、この場合も上述したのと同じに排水用の貫通穴から直に外に出てしまう。したがって、雨水が屋根開口部分を介して小屋裏などに入り込まない。
【００２２】
請求項７の発明は  前記上板の中央部に、横方向に伸延する上方突条部を設け、当該上方突条部に最上段の棟瓦である冠瓦を下方へ引っ張る緊結線を固定するための係止部を設けた請求項１〜６までのいずれか１項に記載の棟換気装置である。
【００２３】
上記請求項７の発明の場合、請求項１〜６までのいずれか１項の発明の場合と同様な作用・効果を奏する他、かかる構成の発明の場合、例えば最上段の熨斗瓦の上面に冠瓦を固定する際には、上方突条部の係止部に緊結線（銅線等）を止めて固定作業を行える。すなわち、最上段の熨斗瓦に近いところで、冠瓦とカバーの上方突条部とを簡単かつ迅速に緊結できる。
【００２４】
請求項８の発明は、前記上板の上面部に、最下段の棟瓦の外側端部と当接して位置規制する位置規制突起部を設けた請求項１〜７までのいずれか１項に記載の棟換気装置である。  上記請求項８の発明の場合、カバー上面部の位置規制部に外側端部が当接するように棟瓦（例えば、熨斗瓦）を取り付けていけば、棟瓦は棟方向に直線状に配列されることになる。したがって、見栄えがよく施工も一段と簡単になる。また、地震や台風がきた場合でも、棟瓦はカバー上面部の位置規制部によって位置規制されているので、当該カバー上面部からずり落ちてしまうようなことはなく、耐久性も一段と向上する。
【発明の効果】
【００２５】
請求項１の発明によれば、側方カバー部が、横方向に直列に配設される所定個数の固定側板および移動側板とからなり、上方カバー部が、所定個数の固定上板および移動上板からなる上方板部と、当該上方板部よりも下方に平行に配設された所定個数の補助上方板とからなり、側方カバー部内の空間と上方カバー部内の空間には、屋根開口部からの空気を外側に排出する空気排出路が形成されているので、移動側板の高さを自由に変えて仮止めでき、移動上板の水平方向の張り出し長さも自由に変えて仮止めできるので、屋根の形式や使用する瓦等によって、その大きさを簡単に変えられる。また、仮止め時に移動側板や移動上板は、第１および第２の係合部によって仮止めされるので、格別な固定装置や仮止めするための補助者も必要とせず、その分簡単に施工することができる。
【００２６】
また、請求項２の発明によれば、移動上板と補助上方板との間で側方カバー部の外側に位置する部位に上方を向くように配列された排気口を有する排気出口部を設け、当該排気出口部に対応しかつ側方カバー部の外側部分に位置するように排水用の貫通穴を補助上方板に設けたので、請求項１の発明と同様な作用・効果を奏する他、屋根開口部分からの空気は、空気排出路を経て排気出口部から外部に円滑に排出される。この際、外気が屋根に沿って流れる傾向にあるので、当該外気は排水用の貫通穴を介して空気排出路に入り排気が排気出口部へ向かうように助勢するので、一段と排気が円滑に行われる。
【００２７】
雨が鉛直方向に降っている場合、排気出口部から入った雨滴は排水用の貫通穴から直に外に出てしまうので、空気排出路を逆に進入して屋根開口部分から小屋裏などに入り込まない。雨が斜めに降っている場合（あるいは水平方向に降る場合）、排気出口部の排気口は上方を向くように配列されているので、当該排気口の斜め方向の開口面積は狭い（水平方向の開口面積は零）ので、当該排気口に斜め方向から雨水量は少ない。しかも、雨水の勢いも弱まる。そのため、雨水は、この場合も上述したのと同じに排水用の貫通穴から直に外に出てしまう。したがって、雨水が屋根開口部分を介して小屋裏などに入り込まない。
【００２８】
請求項３の発明によれば、第１の係合部が、固定側板および移動側板のいずれか一方に高さ方向に所定間隔で配設された複数個の突起と、当該各突起を被嵌する当該固定側板および当該移動側板の他方に設けられた穴部とからなり、第２の係合部が、固定上板および移動上板のいずれか一方に水平方向に所定間隔で配設された複数個の突起と、当該各突起を被嵌する当該固定上板および当該移動上板の他方に設けられた穴部とからなるので、請求項１又は２の発明と同様な作用・効果を奏する他、移動側板の仮止め時の高さ調節および移動上板の仮止め時の水平方向の張り出し長さを一段と細かくかつ正確にできる。
【００２９】
請求項４の発明は、第１の係合部が、固定側板および移動側板のいずれか一方に設けられた突起と、当該突起を被嵌する当該固定側板および当該移動側板の他方に高さ方向に所定間隔で配設された複数個の穴部とからなり、第２の係合部が、固定上板および移動上板のいずれか一方に周期的に繰り返される所定形状の突起と、当該突起を被嵌する当該固定上板および当該移動上板の他方に水平方向に所定間隔で配設された複数個の穴部とからなるので、請求項１又は２の発明と同様な作用・効果を奏する他、移動側板の仮止め時の高さ調節および移動上板の仮止め時の水平方向の張り出し長さを一段と細かくかつ正確にできる。
【００３０】
請求項５の発明は、屋根の棟部分の屋根開口部を横方向から覆う各固定側板を当該屋根開口部を横方向から挟むようにして対向させて屋根部分に基端部を固定し、その後、当該各固定側板に移動側板を第１の係合部を介して横方向に移動可能に仮止めした後に本止めして側方カバー部を形成し、当該側方カバー部の横方向の繋ぎ目部分が中間に位置するように各固定上板を固定し、その後、当該各固定上板に移動上板を第２の係合部を介して横方向に移動可能に仮止めした後に本止めして上方カバー部を形成するので、側方カバー部の横方向の繋ぎ目部分が、上方カバー部によって跨ぐようにして覆われるので、仕上がりの形態も良好となる。また、構造強度が補強されるで、耐久性も一段と高まる。また、高さ方向や水平方向の張り出し長さを簡単に変えられるので、施工性も一段と良好になる。
【００３１】
請求項６の発明によれば、屋根の棟部分に設けられた屋根開口部を横方向から覆う側方カバー部と当該側方カバー部の上方に配設され当該屋根開口部を上側から覆う上板および当該上板の下方に平行に配設された補助上方板からなる上方カバー部とを備えた棟換気装置において、上板と補助上方板との間で側方カバー部の外側に位置する部位に上方を向くように配列された排気口を有する排気出口部を設け、当該排気出口部に対応しかつ前記側方カバー部の外側部分に位置するように排水用の貫通穴を補助上方板に設けたので、屋根開口部分からの空気は、空気排出路を経て排気出口部から外部に円滑に排出される。この際、外気が屋根に沿って流れる傾向にあるので、当該外気は排水用の貫通穴を介して空気排出路に入り排気が排気出口部へ向かうように助勢するので、一段と排気が円滑に行われる。また、雨が鉛直方向に降っている場合、排気出口部から入った雨滴は排水用の貫通穴から直に外に出てしまうので、空気排出路を逆に進入して屋根開口部分から小屋裏などに入り込まない。雨が斜めに降っている場合（あるいは水平方向に降る場合）、排気出口部の排気口は上方を向くように配列されているので、当該排気口の斜め方向の開口面積は狭い（水平方向の開口面積は零）ので、当該排気口に斜め方向から雨水量は少ない。しかも、雨水の勢いも弱まる。そのため、雨水は、この場合も上述したのと同じに排水用の貫通穴から直に外に出てしまう。したがって、雨水が屋根開口部分を介して小屋裏などに入り込まない。
【００３２】
請求項７の発明によれば  上板の中央部に、横方向に伸延する上方突条部を設け、当該上方突条部に最上段の棟瓦である冠瓦を下方へ引っ張る緊結線を固定するための係止部を設けたので、請求項１〜６までのいずれか１項に記載の発明の場合と同様な効果を奏する他、例えば最上段の熨斗瓦の上面に冠瓦を固定する際には、上方突条部の係止部に緊結線（銅線等）を止めて固定作業を行える。すなわち、最上段の熨斗瓦に近いところで、冠瓦とカバーの上方突条部とを簡単かつ迅速に緊結できる。
【００３３】
請求項８の発明によれば、上板の上面部に、最下段の棟瓦の外側端部と当接して位置規制する位置規制突起部を設けたので、請求項１〜７までのいずれか１項に記載の発明の場合と同様な効果を奏する他、当該位置規制部に外側端部が当接するように棟瓦（例えば、熨斗瓦）を取り付けていけば、棟瓦は棟方向に直線状に配列されることになる。したがって、見栄えがよく施工も一段と簡単になる。また、地震や台風がきた場合でも、棟瓦はカバー上面部の位置規制部によって位置規制されているので、当該カバー上面部からずり落ちてしまうようなことはなく、耐久性も一段と向上する。
【発明を実施するための最良の形態】
【００３４】
以下、本発明の実施形態を図面を参照して説明する。
【００３５】
本棟換気装置は、図１および図２に示すように、屋根（屋根部材４）の棟部分に設けられた屋根開口部５を横方向から覆う側方カバー部１０と当該側方カバー部１０の上方に配設され当該屋根開口部５を上側から覆う上方カバー部２０とを備えた構成とされている。本棟換気装置は、図１中紙面と直交方向〔横方向（棟方向）〕にストレート形状とされている。なお、図１では、棟瓦（熨斗瓦７Ａ，７Ｂ，７Ｃ）間などに詰められる盛り土は図示を省略してある。
【００３６】
具体的には、側方カバー部１０が、屋根開口部５を横方向から挟むようにして対向しかつ屋根部分に基端部１２が固定されかつ横方向に直列に配設される所定個数の固定側板１１と、当該各固定側板１１に第１の係合部６０を介して横方向に移動可能に仮止めされる所定個数の移動側板１５とからなる。固定側板１１および移動側板１５の各１個当たりの横方向長さは、図３（Ｂ）に示すように、所定長さＬ１とされている。
【００３７】
また、上方カバー部２０は、側方カバー部１０に固定される所定個数の固定上板２１および当該各固定上板２１に第２の係合部７０を介して横方向に移動可能に係合される所定個数の移動上板からなる上方板部２５と、当該上方板部２５よりも下方に平行に配設された所定個数の補助上方板３０とからなる。上方板部２５および補助上方板３０の各１個当たりの横方向長さは、図４に示すように、所定長さＬ２とされている。
【００３８】
各固定上板２１には、上方突条部２２が設けられている。この上方突条部２２は、各固定上板２１の上面よりも上方へ向けて所定長さだけ突出しており、冠瓦８を下方へ引っ張る縦緊結線８１（例えば、銅線や亜鉛メッキ鉄線）を固定可能な係止部（２３）を有している。この実施形態では、上記係止部は、図１および図５に示すように、固定上板２１の長手方向（図５中左右方向）に所定間隔離れて形成された複数個の係止用穴２３から形成されている。ここで、図５中２点鎖線で示すように、縦緊結線８１を上記各係止用穴２３に潜らせて固定できる。また、各係止用穴２３を介して、図１中第１段目の熨斗瓦（７Ａ，７Ａ）同士を横方向に連結する横緊結線８２を通すことができる。
【００３９】
また、本棟換気装置では、上記した側方カバー部１０内の空間と上方カバー部２０内の空間とによって、屋根開口部５からの空気を外側に排出する空気排出路４０が形成された構成とされている。
【００４０】
なお、上記した第１の係合部６０は、固定側板１１および移動側板１５のいずれか一方に高さ方向に所定間隔で配設された複数個の突起（６１）と、当該各突起（６１）を被嵌する当該固定側板１１および当該移動側板１５の他方に設けられた穴部（６５）とからなる。この実施形態では、第１の係合部６０は、固定側板１１に高さ方向（図１中矢印Ｅ，Ｆ方向）に所定ピッチ間隔で配設された四角形状の複数個の突起６１と、移動側板１５に設けられた当該各突起６１を被嵌する四角形状の穴部６５とからなる。移動側板１５の各穴部６５も、上記した固定側板１１の各突起６１と同様に、高さ方向（矢印Ｅ，Ｆ方向）に当該各突起６１と同様なピッチ間隔で配設されている。なお、固定側板１１側に上記穴部（６５）を、移動側板１５に上記突起（６１）を設けてもよい。
【００４１】
第２の係合部７０は、固定上板２１および移動上板２５のいずれか一方に水平方向に所定間隔で配設された複数個の突起（７１）と、当該各突起（７１）を被嵌する当該固定上板２１および当該移動上板２５の他方に設けられた穴部（７５）とからなる。この実施形態では、固定上板２１に複数個の突起７１を水平方向に所定間隔で配設している。また、各突起７１を被嵌する穴部７５は、移動上板２５に設けられている。
【００４２】
また、本棟換気装置では、移動上板２５と補助上方板３０との間で側方カバー部１０の外側に位置する部位に上方を向くように配列された排気口５１を有する排気出口部５０を設け、当該排気出口部５０に対応しかつ側方カバー部１０の外側部分に位置するように排水用の貫通穴５５を補助上方板３０に設けた構成とされている。
【００４３】
なお、第１の係合部６０が、固定側板１１および移動側板１５のいずれか一方に設けられた突起（６１）と、当該突起（６１）を被嵌する当該固定側板１１および当該移動側板１５の他方に高さ方向に所定間隔で配設された複数個の穴部（６５）とからなり、第２の係合部７０が、固定上板２１および移動上板２５のいずれか一方に周期的に繰り返される所定形状の突起（７１）と、当該突起（７１）を被嵌する当該固定上板２１および当該移動上板２１の他方に水平方向に所定間隔で配設された複数個の穴部（７５）とからなっていてもよい。上記した係合部（６０，７０）は、横方向の各部の高さ具合（図３（Ｂ）中設定高さＨｃ）を調整したり、移動上板２５の水平方向の張り出し長さを調整する場合などには、目印（移動させる距離の見当とつける際の目印）としての役目も果たす。
【００４４】
本棟換気装置の施工方法は、図３（Ａ），（Ｂ）に示すように、屋根の棟部分に設けられた屋根開口部５を横方向〔図３中(Ｂ)矢印Ｇ，Ｈ方向〕から覆う各固定側板１１を当該屋根開口部５を横方向から挟むようにして対向させて屋根部分に基端部１２を固定し、その後、当該各固定側板１１に移動側板１５を第１の係合部６０を介して横方向に移動可能に仮止めした後に図１中タッピングビス１８等で本止めして側方カバー部１０を形成し、図４に示すように、当該側方カバー部１０の横方向の繋ぎ目部分１９が中間に位置するように各固定上板２１を固定し、その後、当該各固定上板２１に移動上板２５を第２の係合部７０を介して横方向に移動可能に仮止めした後に本止めして上方カバー部２０を形成する。
【００４５】
而して、上記構成の本棟換気装置によれば、移動側板の高さを自由に変えて仮止めでき、移動上板２５の水平方向の張り出し長さも自由に変えて仮止めできるので、屋根の形式や使用する瓦等によって、その大きさを簡単に変えられる。また、仮止め時に移動側板１５や移動上板２５は、第１および第２の係合部（６０，７０）によって仮止めされるので、格別な固定装置や仮止めするための補助者も必要とせず、その分簡単に施工することができる。
【００４６】
また、屋根開口部５分からの空気は、空気排出路４０を経て排気出口部５０から外部に円滑に排出される。この際、外気が屋根４に沿って流れる傾向にあるので、当該外気は排水用の貫通穴５５を介して空気排出路４０に入り排気が排気出口部５０へ向かうように助勢するので、一段と排気が円滑に行われる。
【００４７】
雨が鉛直方向に降っている場合、排気出口部５０から入った雨滴は排水用の貫通穴５５から直に外に出てしまうので、空気排出路４０を逆に進入して屋根開口部５分から小屋裏（図示省略）などに入り込まない。雨が斜めに降っている場合（あるいは水平方向に降る場合）、排気出口部５０の排気口５１は上方を向くように配列されているので、当該排気口５１の斜め方向の開口面積は狭い（水平方向の開口面積は零）ので、当該排気口５１に斜め方向から雨水量は少ない。しかも、雨水の勢いも弱まる。そのため、雨水は、この場合も上述したのと同じに排水用の貫通穴５５から直に外に出てしまう。したがって、雨水が屋根開口部５を介して小屋裏などに入り込まない。
【００４８】
また、移動側板１５の仮止め時の高さ調節および移動上板２５の仮止め時の水平方向の張り出し長さを一段と細かくかつ正確にできる。
【００４９】
さらに、側方カバー部１０の横方向の繋ぎ目部分が、上方カバー部２０によって跨ぐようにして覆われるので、仕上がりの形態も良好となる。また、構造強度が補強されるで、耐久性も一段と高まる。また、高さ方向や水平方向の張り出し長さを簡単に変えられるので、施工性も一段と良好になる。
【００５０】
なお、上記実施形態では、大きさが簡単に変えられる棟換気装置に、上板と補助上方板との間で側方カバー部１０の外側に位置する部位に上方を向くように配列された排気口５１を有する排気出口部５０を設け、当該排気出口部５０に対応しかつ側方カバー部１０の外側部分に位置するように排水用の貫通穴５５を補助上方板３０に設けたが、大きさが変えられない棟換気装置でも、上記排気出口部と貫通穴とを設けてもよい。この場合も雨水が屋根開口部分を介して小屋裏などに入り込まない。
【００５１】
また、上板の中央部に、横方向に伸延する上方突条部を設け、当該上方突条部に最上段の棟瓦である冠瓦を下方へ引っ張る緊結線を固定するための係止部を設けたので、例えば最上段の熨斗瓦の上面に冠瓦を固定する際には、上方突条部の係止部に緊結線（銅線等）を止めて固定作業を行える。すなわち、最上段の熨斗瓦に近いところで、冠瓦とカバーの上方突条部とを簡単かつ迅速に緊結できる。
【００５２】
また、上板（固定上板２１）の上面部に、最下段の棟瓦７Ａの外側端部と当接して位置規制する位置規制突起部２９を設けたので、当該位置規制突起部２９に外側端部が当接するように棟瓦（例えば、熨斗瓦７Ａ）を取り付けていけば、棟瓦は棟方向に直線状に配列されることになる。したがって、見栄えがよく施工も一段と簡単になる。また、地震や台風がきた場合でも、棟瓦（７Ａ等）は上方カバー部２０の位置規制突起部２９によって位置規制されているので、当該カバー部２０からずり落ちてしまうようなことはなく、耐久性も一段と向上する。
【００５３】
また、係合部（６０，７０）の形状は四角形状に限らない。例えば、図６に示すように、三角波形状としたり、図７に示すような形状としてもよい。図７の場合、係合させれば横方向（図７中紙面と直交方向）にのみ移動可能となる。したがって、一段と仮止めが確実に行える。
【図面の簡単な説明】
【００５４】
【図１】本発明の第１の実施形態を説明するための図である。
【図２】同じく、高さおよび水平方向の張り出し長さを変えた図である。
【図３】本棟換気装置の施工方法を説明するための図である。
【図４】本棟換気装置の施工方法を説明するための図である。
【図５】上方突条部の側面図である。
【図６】係合部の変形例（１）を説明するための図である。
【図７】係合部の変形例（２）を説明するための図である。
【符号の説明】
【００５５】
６    屋根開口部  
１０    側方カバー部
１１    固定側板
１５    移動側板
２０    上方カバー部
２１    固定上板
２５    移動上板
３０    補助上方板
４０    空気排出路
５０    排気出口部
５１    排気口
６０    第１の係合部
６１    突起
６５    穴部
７０    第２の係合部
７１    突起
７５    穴部
【図１】
2006125160.tif 000003
【図２】
2006125160.tif 000004
【図３】
2006125160.tif 000005
【図４】
2006125160.tif 000006
【図５】
2006125160.tif 000007
【図６】
2006125160.tif 000008
【図７】
2006125160.tif 000009